(57)【要約】【課題】本発明は、カテーテルを保護するためのドレッシング材を提供する。【解決手段】一実施形態において、該ドレッシング材は、カテーテル部位の周囲で患者に接着される基部と、カテーテルラインを通すための基部内の隙間と、封止された様式で基部にそして基部の上に折り重ねられる、窓を有するカバーとを有する。別の実施形態において、ドレッシング材は、複数のカテーテルが共通ハウジングから延在している状態でカテーテルアセンブリのコンポーネントを封止するために、基部の別々の区分に折り重ねるための、窓を有する２つのカバーを有する。【選択図】図１
2018000956.tif 000002
【特許請求の範囲】
【請求項１】
基部（２１、４５）を備えるカテーテル部位のためのドレッシング材（２０）であって、前記基部（２１、４５）が、その裏面上で患者に接着するための接着剤（２５）と、開口部（２４）であって、前記カテーテル部位から前記開口部（２４）を通ってカテーテルを通過させるための開口部（２４）とを有し、
前記ドレッシング材（２０）は、前記基部（２１、４５）から離間された開位置と前記基部（２１、４５）上の閉位置との間の移行のための、前記基部（２１、４５）に固定されたカバー（２２、４８）を有し、
前記カバー（２２、４８）は、前記基部（２１）を見るための窓（２７）と、前記窓（２７）の周辺に固定された枠（３１）であって、その外面上に前記基部（２１、４５）への固定のための接着剤（３２）を有する枠（３１）とを有することを特徴とする、ドレッシング材（２０）。
【請求項２】
前記窓（２７）が、前記基部（２１、４５）上にカテーテル（３９）を位置付け、収容するためのバブル（２８）を有することを更に特徴とする、請求項１に記載のドレッシング材。
【請求項３】
前記基部（４５）が、前記開口部（２４）から前記基部（４５）の縁まで延在するスリット（５０）であって、それを通ってカテーテルライン（５５）を通過させるためのスリット（５０）と、Ｌ字型を画定する一対の区分（４６、４７）とを有し、前記開口部（２４）が、前記一対の区分（４６、４７）のうちの一方に配置され、前記カバー（４８）が、前記一方の区分（４６）から延在していることを更に特徴とする、請求項１に記載のドレッシング材。
【請求項４】
前記基部（４５）から離間された開位置と前記基部（４５）上の閉位置との間の移行のための、前記基部（４５）の前記一対の区分の他方（４７）に固定された医療用プラスチックの第２のカバー（４９）を有し、
前記第２のカバー（４９）が、枠（３１’）であって、その上に前記基部（４５）への固定のための接着剤（３２）を有する枠（３１’）と、前記基部（４５）を見るための前記枠（３１’）内の窓（２７’）と、前記枠（３１’）の前記接着剤（３２）上の除去可能な剥離ストリップ（３５’）とを有することを更に特徴とする、請求項３に記載のドレッシング材。
【請求項５】
前記基部（２１、４５）が、その１つの隅に拡大部分（２１’）を有し、前記カバー（２２、４８）が、前記閉位置において前記拡大部分（２１’）上及び前記拡大部分（２１’）内に配置されたタブ（２２’）を有する、請求項１に記載のドレッシング材。
【請求項６】
カテーテル部位のためのドレッシング材（４４）であって、それより延在する複数のカテーテル（５３）を有するカテーテルアセンブリ（５２）を有するドレッシング材（４４）であって、
基部（４５）であって、その裏面上で患者に接着するための接着剤（２５）、Ｌ字型を画定する一対の区分（４６、４７）、前記一対の区分の一方（４６）にある開口部（２４）であって、それを通って前記カテーテル部位から前記カテーテルアセンブリ（５２）のカテーテルライン（５５）を通過させるための開口部（２４）、及び前記開口部（２４）から前記基部（４５）の縁まで延在するスリット（５０）であって、それを通って前記開口部まで前記カテーテルライン（５５）を通過させるためのスリット（５０）を有する基部（４５）と、
前記基部（４５）から離間された開位置と前記基部（４５）上の閉位置との間の移行のための、前記基部（４５）の前記一方の区分（４６）に固定された医療用プラスチックの第１のカバー（４８）であって、枠（２９）であって、その上に前記基部（４５）への固定のための接着剤（３２）を有する枠（２９）、前記枠（２９）内の窓（２７）であって、その上の前記基部（４５）及び前記カテーテルライン（５５）を見るための窓（２７）、及び前記枠（２９）の前記接着剤（３２）上の除去可能な剥離ストリップ（３５）を有する第１のカバー（４８）と、
前記基部（４５）から離間された開位置と前記基部（４５）上の閉位置との間の移行のための、前記基部（４５）の前記一対の区分（４６、４７）の他方の区分（４７）に固定された医療用プラスチックの第２のカバー（４９）であって、枠（３１’）であって、その上に前記基部（４５）への固定のための接着剤（３２）を有する枠（３１’）、前記枠（３１’）内の窓（２７’）であって、その上の前記基部（４５）及び前記カテーテルアセンブリ（５２）の複数のカテーテル（５３）を見るための窓（２７’）、及び前記枠（３１’）の前記接着剤（３２）上の除去可能な剥離ストリップ（３５’）を有する第２のカバー（４９）と
を有することを特徴とするドレッシング材（４４）。
【発明の詳細な説明】
【技術分野】
【０００１】
本発明は、ドレッシング材に関する。より具体的には、本発明は、留置カテーテル挿入部位を保護するためのドレッシング材に関する。
【背景技術】
【０００２】
既知のように、鎮痛剤、化学療法、抗生物質、抗ウイルス薬、または抗真菌薬の注入のために、ならびに水分補給及び栄養のために、種々のカテーテルが患者に取り付けられている。一部の場合において、カテーテルは、長期間の間適所に留まることが必要とされる。
【０００３】
特許文献１及び特許文献２に記載の通り、カテーテルが、患者の皮膚を穿刺するカテーテル挿入部位を覆うために、ドレッシング材を患者の皮膚に適用することが知られている。
【０００４】
特許文献３に記載の通り、概して、カテーテルを覆うドレッシング材が既知である。カテーテルは、患者のある部位で挿入され得、部位は、ドレッシング材によって覆われ得る。部位を見るための窓または透明膜が、ドレッシング材内に提供され得る。
【０００５】
特許文献４に記載の通り、カテーテルアクセス部位を保護するためのドレッシング材ならびにその部位に移植ポートを提供し、ポートからのチューブが、ドレッシング材の下から延在することが知られている。
【先行技術文献】
【特許文献】
【０００６】
【特許文献１】米国特許第９，２２０，８６９号明細書
【特許文献２】米国特許第８，７７８，３８７号明細書
【特許文献３】米国特許第６，９９８，５１１号明細書
【特許文献４】米国特許第７，８１２，２１２号明細書
【発明の概要】
【発明が解決しようとする課題】
【０００７】
留置カテーテルに接続される医療チューブには、患者の移動によって、または他の物体上のチューブの絡みによって生じる引き力がかかり得ることが知られている。これらの引き力は、チューブ及び／またはカテーテル、注入針等を固定するドレッシング材を、患者の皮膚から剥がし取り、それによって、カテーテル部位、移植ポート、または注入針を露出させる可能性がある。また、これは、ドレッシング材と患者の皮膚との間の接着を弱め得、カテーテル部位を有害な細菌に曝露する可能性がある。
【０００８】
本発明の目的は、カテーテル部位ならびに部位から延在するカテーテルを保護するためのドレッシング材を提供することである。
【０００９】
本発明の別の目的は、部位から延在するカテーテルへのアクセスを可能にするカテーテル部位のためのドレッシング材を提供することである。
【００１０】
本発明の別の目的は、使用されていないときに、封止された状態でカテーテル部位から延在するカテーテルを維持し、使用が必要とされるときに、カテーテルへの迅速なアクセスを可能にする、ドレッシング材を提供することである。
【００１１】
本発明の別の目的は、患者に容易に適用され得、適所に封止されたカテーテルにアクセスするよう操作するのが容易である、カテーテル部位のためのドレッシング材を提供することである。
【課題を解決するための手段】
【００１２】
簡潔に述べると、本発明は、カテーテル部位からカテーテルを通過させるための開口部を有する、患者への接着のための基部と、基部に折り重ねられ、基部に固定されて、カテーテルを包囲し得、かつ基部から剥ぎ取られて、カテーテルへのアクセスを可能にし得るカバーと、で構成される、カテーテル部位のためのドレッシング材を提供する。
【００１３】
一実施形態において、ドレッシング材の基部は、医療用ポリエチレンのシートで作製され、患者への接着のために、裏面に接着剤を有する。基部はまた、開口部も有して、開口部を通ってカテーテル部位からカテーテルを通過させる。加えて、除去可能なシリコーン剥離ライナーが、基部の接着剤上に配置される。ドレッシング材の使用の際、剥離ライナーは、手動で除去され、ドレッシング材は、患者の皮膚に対して適用されて、カテーテル部位を包含し、カテーテルは、基部の開口部を通過する。
【００１４】
ドレッシング材は、開口部上の基部上に配置されるパッドも有して、その上にカテーテルを設置し得る。この目的で、パッドは、その１つの側面からその中央部に向かって延在するスリットを有して、そこを通ってカテーテルのラインを通過させる。その後、カテーテルのラインは、カテーテル自体に巻き付けられ得、パッド上に設置され得る。
【００１５】
本実施形態において、カバーは、基部から離間される開位置と、基部上及びパッド上の巻かれたカテーテルライン上の閉位置との間の移行のために、基部に固定される。
【００１６】
カバーは、基部及びパッド上の巻かれたカテーテルラインを見るための窓、及び窓の周辺に固定される枠を有し、接着剤が、基部への固定のためにその外面に存在する。加えて、除去可能なシリコーン剥離ライナーが、枠の接着剤上に配置される。
【００１７】
窓は、パッド上の巻かれたカテーテルライン及びバブルの周囲の周辺フランジを包含するために、予め形成されたバブルを有する通気性のあるウレタンで作製される。フランジの１つの側面は、基部のポリエチレンのシートに直接溶接することによって固定されて、一体構造を形成する。
【００１８】
枠は、ポリエチレンで作製され、ドレッシング材の基部上の整列のために、ウレタン窓の周辺を強固にするように、窓の周辺フランジの３つの側面に固定されるＵ字形である。
【００１９】
患者への基部の適用及びパッド上へのカテーテルラインの設置後に、ドレッシング材の使用の際、剥離ライナーは、カバーの枠から手動で除去され、カバーは、Ｕ字形の枠が、封止された様式で３つの側面で基部に接着し、窓が、パッド上の巻かれたカテーテルラインを包含するように、基部に折り重ねられる。窓は、第４の側面で基部に固定されるため、パッド上の巻かれたカテーテルラインは、封止された状態で維持され得る。
【００２０】
薬物または溶液等を患者に投与するために、ドレッシング材のカバーは、基部にヒンジ連結されたままで基部から剥がし取られて、カテーテルラインを露出する。その後、薬物または溶液は、従来の様式でカテーテルライン内に投与され得る。送達後、カバーは、基部上で再び閉じられて、窓内でカテーテルラインを再度封止し得る。
【００２１】
患者が、長期間の間、静脈ライン等と「接続」され、例えば、シャワーを浴びるために、患者の「接続を外す」必要がある場合、患者が「接続されている」間に開位置にあるカバーは、閉位置になるように基部に折り重ねられて、シャワー中にカテーテルラインを保護する。
【００２２】
ドレッシング材の窓及び基部内の開口部は、医療職員が、随時カテーテル部位を見ることを可能にする。
【００２３】
別の実施形態において、ドレッシング材は、カテーテル部位での使用のために作製され、複数のカテーテルが共通ハウジングから延在し、この共通ハウジングが次いで単一のラインを介してカテーテル部位に接続されている、カテーテルアセンブリを有する。
【００２４】
本実施形態において、基部は、Ｌ字型を画定する一対の区分を有し、区分のうちの１つに開口部が配置され、この区分からカバーが延在する。基部はまた、カテーテルアセンブリのカテーテルラインを通過させるために、開口部から基部の縁まで延在するスリットも有する。本実施形態は、ＰＩＣＣとして既知の末梢挿入中心静脈カテーテルに対して特に有用である。
【００２５】
基部は、患者への接着のために、裏面に接着剤を有する医療用ポリエチレンのシートで作製され、除去可能なシリコーン剥離ライナーは、接着剤上に配置される。
【００２６】
カバーは、第１の実施形態と同様に、窓と、基部への固定のために外面に接着剤を有する、窓の周辺に固定される枠と共に作製され、除去可能なシリコーン剥離ライナーは、接着剤上に配置される。
【００２７】
ドレッシング材の使用の際、剥離ライナーは、基部から手動で除去され、ドレッシング材は、患者の皮膚に対して適用されて、カテーテル部位を包含し、カテーテルアセンブリのラインは、基部内のスリットを通って、基部の開口部を通過する。その後、剥離ライナーは、カバーの枠から手動で除去され、カバーは、Ｕ字形の枠が、封止された様式で３つの側面で基部に接着し、窓が、カテーテルアセンブリの共通ハウジングを包含するように、基部に折り重ねられる。その後、アセンブリの複数のカテーテルは、基部の第２の区分上に置かれる。
【００２８】
本実施形態は、複数のカテーテルを折り重ねるために、基部の第２の区分に固定される同様の構成であるが、より長い長さの第２のカバーも有する。基部の第２の区分上に複数のカテーテルを設置後、使用すると、第２のカバーの剥離ライナーは、除去され、カバーは、基部に折り重ねられ、基部に接着して、複数のカテーテル上にカバーの窓を設置する。同時に、カバーの枠は、基部に対して封止し、ならびに封止された関係で第１のカバーの１つの側面を覆う。
【００２９】
各実施形態のドレッシング材はまた、基部が、１つの隅で拡大部分を有し、カバーが、カバーの閉位置において拡大部分上及び拡大部分内での配置のためのタブを有するように作製され得る。これは、患者への接着から基部を引き離す危険性なく、基部からカバーを開放することを促進する。
【００３０】
本発明のこれらの及び他の目的は、図面と併せて以下の説明から明らかになるであろう。
【図面の簡単な説明】
【００３１】
【図１】本発明に従う、基部及びカバーと共に作製されたドレッシング材の上面図を例示する。
【図２】図１のドレッシング材の基部の上面図を例示する。
【図３】図１のカバーの上面図を例示する。
【図４】図３のカバーの分解図を例示する。
【図５】図４のドレッシング材の底面図を例示する。
【図６】患者への適用中の図１のドレッシング材の図を例示する。
【図７】カテーテルラインが、基部内の開口部を通って延在する、カテーテル部位に適用される図４のドレッシング材の図を例示する。
【図８】基部上にパッドを有する図４のドレッシング材の図を例示する。
【図９】本発明に従う、基部上のパッド上の巻かれたカテーテルラインの図を例示する。
【図１０】カバーが、基部に折り重ねられた、図４のドレッシング材の図を例示する。
【図１１】基部からカバーを剥ぎ取っている間の図４のドレッシング材の図を例示する。
【図１２】本発明の第２の実施形態に従う、ドレッシング材の底面図を例示する。
【図１３】図１２のドレッシング材の上面図を例示する。
【図１４】複数のカテーテルが、共通ハウジングから延在する、カテーテルアセンブリの部分図を例示する。
【図１５】図１４のカテーテルアセンブリの最初の設置中の図１２及び１３のドレッシング材の図を例示する。
【図１６】第１のカバーを折り重ねる前の図１２のドレッシング材の上面図を例示する。
【図１７】第１のカバーを折り重ねた後の図１２のドレッシング材の上面図を例示する。
【図１８】基部上への複数のカテーテルの設置後、かつ第２のカバーを折り重ねる前の図１２のドレッシング材の上面図を例示する。
【図１９】剥離ライナーの除去中、かつ第２のカバーを折り重ねる前の図１２のドレッシング材の上面図を例示する。
【図２０】第２のカバーを折り重ねた後の図１２のドレッシング材の上面図を例示する。
【図２１】図２０の線２１−２１に沿って切った部分断面図を例示する。
【図２２】基部が、カバーのタブを受容するために拡大部分を有する、図１０と同様のドレッシング材の図を例示する。
【図２３】カバーを開放している間の図２２のドレッシング材を概略的に例示する。
【発明を実施するための形態】
【００３２】
図１を参照すると、ドレッシング材２０は、基部２１と、基部２０から離間される開位置と、基部２１上の閉位置との間の移行のためのカバー２２と、を備える。
【００３３】
図２及び６を参照すると、基部２１は、中心に位置する開口部２４を有する、略正方形または矩形の形状の医療用ポリエチレンのシート２３で作製され、患者への接着のために、裏面に接着剤２５を有する。例えば、基部２１は、片面ポリエチレンテープ３Ｍ−１５２１である。
【００３４】
加えて、基部２１は、シート２３の接着剤２５上に配置される、３Ｍ１３６１等のシリコーン被覆剥離ライナー２６を有する。
【００３５】
図３及び４を参照すると、カバー２２は、予め形成されたバブル２８及びバブル２８を囲む周辺フランジ２９を伴う、２．５ミルの厚さの通気性のあるウレタンで作製された、予め形成された透明窓２７を有する。
【００３６】
図４に例示されるように、フランジ２９の１つの側面は、図１に例示されるように、基部２１のポリエチレンのシート２３に直接溶接することによって固定して、一体構造を形成するために、フランジ２９の残りの３つの側面より幅広い。加えて、フランジ２９の１つの隅は、外側に突出するタブ３０として形成される。
【００３７】
カバー２２はまた、窓２７の周辺の３つの側面でフランジ２９に固定されるＵ字形の枠３１も有し、枠３１は、基部２１への固定のためにその外面上に接着剤３２を有する。例えば、枠３１は、窓２７へ安定性を提供するために、約０．０２０インチの厚さの片面ポリエチレンテープ、例えば、３Ｍ  ９８６０で作製される。
【００３８】
図４に例示されるように、枠３１は、ドレッシング材２０が組み立てられるときに、シート２３の１つの側面に当接するように、フランジ２９のより幅広い側面の一部分上にのみ延在する一対の平行な脚３３を含む。（図１参照）。したがって、フランジ２９のこの側面の覆われていない部分は、基部２１上へ、及び基部２１からカバー２２の折り重ねるための「ヒンジ」を形成する。
【００３９】
枠３１はまた、窓２７のタブ３０を覆う外側に突出するタブ３４として形成される隅も有する。
【００４０】
加えて、カバー２２は、枠３１の接着剤３２上に配置される、クラフトライナー３Ｍ９９６８等のシリコーン被覆剥離ライナー３５を有する。このライナー３５もまた、窓２７のタブ３０及び枠３１のタブ３４を覆う外側に突出するタブ３６として形成される隅を有する。
【００４１】
図５及び図６を参照すると、基部２１の剥離ライナー２６は、３つの区分、すなわち、患者にドレッシング材２０を適用するときに、最初に除去される矩形の中央区分３７、及び患者へのドレッシング材２０の最初の設置中に適所に留まる２つの側面区分３８から形成される。２つの側面区分３８は、使用者がシート２３上の接着剤２５に触れる必要なく、患者にドレッシング材２０を適用することを可能にする。
【００４２】
図６を参照すると、カテーテル部位にドレッシング材２０を適用するために、基部２１上の剥離ライナー２６の中央区分３７が除去される。
【００４３】
図７を参照すると、その後、ドレッシング材２０は、カテーテル部位上に設置され、カテーテル部位のカテーテル３９は、シート２３内の開口部２４を通って引かれ、その後、残りの側面区分３８は除去され、基部２１は患者に接着される（図示せず）。
【００４４】
図８を参照すると、軟質発泡コンフォートパッド４０は、その上にカテーテル３９を設置するために、開口部２４上の基部２１上に配置され得る。図示されるように、パッド４０は、１つの側面から中心に位置する隙間４２まで延在するスリット４１を有し、カテーテル３９のカテーテルライン４３が、そこを通って隙間４２まで通過するようにする。
【００４５】
図９を参照すると、カテーテル３９のカテーテルライン４３を巻き、パッド４０上に設置した後、カバー２２上の剥離ライナー３５は除去されて、接着剤３２を露出し、カバー２２は、基部２１に折り重ねられ、３つの側面に押し当てられる。
【００４６】
図１０を参照すると、基部２１に折り重ねられた後、カバー２２は、接着剤３２を介して基部２１の３つの側面に対して封止し、一方で、基部２１の第４の側面は、窓２７のフランジ２９によって閉じられる。この時点で、巻かれたカテーテルライン４３は、カバー２２の窓２７によって包含され、容易に見られ得る。
【００４７】
図１１を参照すると、カテーテルライン４３のカバーを取るために、覆い重なる３０（３４）は、手動で掴まれ、カバー２２は、基部２１から剥がし取られる。サービス後、カテーテルライン４３は、パッド４０上で再度巻かれ、カバー２２は、基部２１に折り重み戻されて、カテーテルライン４３を封入する。
【００４８】
患者に薬物または溶液等を投与するために、ドレッシング材２０のカバー２２は、基部２１にヒンジ連結されたままで基部２１から剥がし取られて、カテーテルライン４３を露出する。その後、薬物または溶液は、従来の様式でカテーテルライン４３内に投与され得る。送達後、カバー２２は、基部２１上で再び閉じられて、窓２７内にカテーテルライン４３を再度封止し得る。
【００４９】
患者が、長期間の間、静脈ライン等と「接続」され、例えば、シャワーを浴びるために、患者の「接続を外す」必要がある場合、患者が「接続されている」間に開位置にあるカバー２２は、閉位置になるように基部２１に折り重ねられて、シャワー中にカテーテルライン４３を保護する。
【００５０】
上記と同様の参照符号が、同様の部分を示す、図１２及び１３を参照すると、ドレッシング材４４は、２つの区分４６、４７を画定するＬ字型の基部４５を含み、第１のカバー４８は、基部４５の一方の区分４６に固定され、第２のカバー４９は、基部４４の他方の区分４７に固定される。
【００５１】
基部４５は、開口部２４を有する医療用ポリエチレンのシート２３で作製され、患者に接着させるために、裏面に接着剤２５を有する。加えて、基部４５は、シート２３の接着剤２５上に配置される、上記のようなシリコーン被覆剥離ライナー２６を有する。
【００５２】
第１のカバー４８が固定される区分４６は、開口部２４から基部４５の縁まで延在するスリット５０を有し、そこを通って開口部までカテーテルラインを通過させる。
【００５３】
第１のカバー４８は、図４に関して上述されたカバー２２と同様の様式で作製され、バブル２８の周りの周辺フランジ２９及びフランジ２９上の外側に突出するタブ３０を伴う、予め形成された透明窓２７と、窓２７の周辺の３つの側面で固定されるＵ字形の枠３１であって、基部４５への固定のためにその外面上に接着剤３２（図１６参照）を有する、枠３１と、枠３１上の接着剤３２上の除去可能な剥離ライナー３５と、を有する。
【００５４】
枠３１はまた、窓２７のタブ３０（図１２参照）を覆う外側に突出するタブ（図示せず）として形成される隅も有する。
【００５５】
加えて、ライナー３５はまた、窓２７のタブ３０（図１１）及び枠３１のタブを覆う外側に突出するタブ３６（図１２）として形成される隅も有する。
【００５６】
第２のカバー４９は、バブル２８’の周りの周辺フランジ２９’を伴う、医療用プラスチックの予め形成された透明窓２７’と、窓２７’の周辺の３つの側面で固定されるＵ字形の枠３１’であって、基部４５’への固定のためにその外面上に接着剤３２（図１９参照）を有する、枠３１’と、枠３１’上の接着剤３２上の除去可能な剥離ライナー３５’と、を有する第１のカバー４８と同様である。
【００５７】
第２のカバー４９は、伸長された矩形の形状であり、窓２７’は、フランジ２９’の２つの隅に一対の外側に突出するタブ３０’を有する。
【００５８】
枠３１’はまた、窓２７’のタブ３０’を覆う２つの隅に一対の外側に突出するタブ（図示せず）も有する。
【００５９】
加えて、ライナー３５’はまた、窓２７’のタブ及び枠３１’のタブ３０’を覆う２つの隅に一対の外側に突出するタブ３６も有する。
【００６０】
図１４を参照すると、カテーテルアセンブリ５２は、共通ハウジング５４から延在し、単一のライン５５を介してカテーテル部位（図示せず）に接続される、複数のカテーテル５３を有する。
【００６１】
図１５を参照すると、使用時、ドレッシング材４４は、カテーテル部位で、例えば、患者の腕で、カテーテルアセンブリ５２を保護するように構成される。
【００６２】
上記のように、カテーテル部位にドレッシング材４４を適用するために、基部４５上の剥離ライナー２６は、除去され（図１２参照）、ドレッシング材４４は、カテーテル部位上に設置され、カテーテル部位からのカテーテルライン５５は、シート２３の第１の区分４６において、スリット５０を通って開口部２４まで引かれる。この時点で、ハウジング５４は、区分４６上に置かれ、複数のカテーテル５３は、区分４６を横切って置かれる。
【００６３】
次に、図１６に示されるように、カバー４８上の剥離ライナー３５は、除去されて、枠３１’上の接着剤３２を露出し、カバー４８は、基部４５に折り重ねられ、３つの側面に押し当てられる。
【００６４】
図１７を参照すると、基部４５を折り重ねた後、カバー４８は、枠３１’上の接着剤３２を介して、基部区分４６の２つの側面に対して封止し、基部区分４６上の複数のカテーテル５３を封止する。例示されるように、カテーテル５３のラインを適所に保持するフランジ２９は、１つの側面がより幅広い。より幅広いフランジは、接着剤の表面積を増加させ、フランジをより強力にさせ、カテーテルをより安全に適所に保持する。
【００６５】
例示されるように、カバー４８は、基部４５のシート２３の区分４６の幅とおよそ等しい長さである。したがって、枠３１’及び窓２７’の覆い重なるタブは、基部区分４６を超えて突出する。
【００６６】
図１８及び１９を参照すると、その後、複数のカテーテル５５は、基部４５のシート２３の第２の区分４７上に置かれ、剥離ライナー３５’は、第２のカバー４９の枠３１’から除去されて、その上の接着剤３２を露出する。次に、第２のカバー４９は、複数のカテーテル５５上に折り重ねられて、基部４５のシート２３の第２の区分４７に対して封止する。
【００６７】
図２０及び２１に例示されるように、枠３１’は、基部４５の第２の区分４７に対して封止するだけでなく、複数のカテーテル５５を覆う第１のカバー４８の側面も封止して、その間の何らかの開口部を封止する。加えて、窓２７’のタブ３０’は、基部４５の外側に延在する。
【００６８】
カテーテル５５にアクセスする必要が生じた場合、第２のカバー４９は、図２０の閉位置から図１９に示されるような開位置まで剥がし取られる。その後、第２のカバー４９は、基部４５に再び押し当てられて、周囲環境からカテーテル５５を封止する。
【００６９】
同様に、ハウジング５４にアクセスする必要が生じた場合、カバー４８、４９の両方が、開位置まで剥がし取られる。
【００７０】
上記と同様の参照符号が、同様の部分を示す、図２２及び２３を参照すると、ドレッシング材２０は、１つの隅に拡大部分２１’を有する基部２１と、閉位置（図２２）において拡大部分２１’上及び拡大部分２１’内に配置するためのタブ２２’を有するカバー２２と共に、作製され得る。タブ２２’は、拡大部分２１’に剥離可能に固定されて、平らで、かつ固定されたまま留まる。ドレッシング材２０を開放するために、タブ２２’が、基部２１（図２３）から剥がれ取られ、一方で、使用者は、患者に対して拡大部分２１’を押さえたまま保持する。したがって、患者への接着から基部を引き離す危険性なく、カバー２２は、基部２１から剥がれ取られ得る。
【００７１】
図１２〜２１の実施形態は、同様のタブで作製され得る。例えば、基部４５の一方の区分４６は、１つの隅に拡大部分を有し得、第１のカバー４８は、その閉位置において拡大部分上及び拡大部分内に配置するためのタブを有するであろう。基部４５の他方の区分４７は、窓２７’のタブ３０’及び枠３５’のタブ３６’が、基部区分４７を覆う、１つの隅に拡大部分を有するであろう。
【００７２】
したがって、本発明は、使用されていないときに、封止された状態でカテーテル部位から延在するカテーテルを維持し、使用が必要とされるときに、カテーテルへの迅速なアクセスを可能にする、ドレッシング材を提供する。さらに、本発明は、患者に容易に適用され得、適所に封止されたカテーテルにアクセスするよう操作するのが容易であり、カテーテル部位ならびにその部位から延在するカテーテルを保護する、ドレッシング材を提供する。
【図１】
2018000956.tif 000003
【図２】
2018000956.tif 000004
【図３】
2018000956.tif 000005
【図４】
2018000956.tif 000006
【図５】
2018000956.tif 000007
【図６】
2018000956.tif 000008
【図７】
2018000956.tif 000009
【図８】
2018000956.tif 000010
【図９】
2018000956.tif 000011
【図１０】
2018000956.tif 000012
【図１１】
2018000956.tif 000013
【図１２】
2018000956.tif 000014
【図１３】
2018000956.tif 000015
【図１４】
2018000956.tif 000016
【図１５】
2018000956.tif 000017
【図１６】
2018000956.tif 000018
【図１７】
2018000956.tif 000019
【図１８】
2018000956.tif 000020
【図１９】
2018000956.tif 000021
【図２０】
2018000956.tif 000022
【図２１】
2018000956.tif 000023
【図２２】
2018000956.tif 000024
【図２３】
2018000956.tif 000025
【外国語明細書】
2018000956000001.pdf